(57)【要約】【課題】多大なコストや煩雑な事前準備を必要とせずに、情報の分類を行なうことのできる情報処理装置、情報分類方法及びプログラムの提供。【解決手段】情報処理装置は、予め設定された分類用キーワードを用いた検索条件によるテキスト検索の結果、ユーザに参照された情報を特定する情報収集手段と、前記分類用キーワードに対応付けられた分類区分に、前記特定した情報を分類する分類結果記憶手段と、を備える。【選択図】図１
2010061213.tif 000002
【特許請求の範囲】
【請求項１】
予め設定された分類用キーワードを用いた検索条件によるテキスト検索の結果、ユーザに参照された情報を特定する情報収集手段と、
前記分類用キーワードに対応付けられた分類区分に、前記特定した情報を分類する分類結果記憶手段と、を備える情報処理装置。
【請求項２】
前記情報収集手段は、テキスト検索の履歴を参照して、該情報のテキスト検索時に入力されたキーワード、前記ユーザに参照された情報、及び、該情報にアクセスするための情報を取得する請求項１に記載の情報処理装置。
【請求項３】
前記分類区分毎に、複数の分類用キーワードを設定可能である請求項１又は２に記載の情報処理装置。
【請求項４】
前記分類用キーワードを用いて、受信した電子メールの分類を行なう請求項１乃至３いずれか一に記載の情報処理装置。
【請求項５】
前記分類用キーワードを用いて、ユーザにより入力されたスケジュール情報の分類を行なう請求項１乃至４いずれか一に記載の情報処理装置。
【請求項６】
請求項１乃至５いずれか一に記載の情報処理装置を含み、ユーザ又はグループ毎にアクセス可能な分類区分が設定されている情報共有システム。
【請求項７】
情報を分類するための分類用キーワードを設定しておき、
前記分類用キーワードを用いた検索条件によるテキスト検索の結果、ユーザに参照された情報を特定し、
前記分類用キーワードに対応付けられた分類区分に、前記特定した情報を分類する情報分類方法。
【請求項８】
テキスト検索の履歴を参照して、該情報のテキスト検索時に入力されたキーワード、前記ユーザに参照された情報、及び該情報にアクセスするための情報を取得する請求項７に記載の情報分類方法。
【請求項９】
前記分類区分毎に、複数の分類用キーワードを設定可能である請求項７又は８に記載の情報分類方法。
【請求項１０】
前記分類用キーワードを用いて、受信した電子メールの分類を行なう請求項７乃至９いずれか一に記載の情報分類方法。
【請求項１１】
前記分類用キーワードを用いて、ユーザにより入力されたスケジュール情報の分類を行なう請求項７乃至１０いずれか一に記載の情報分類方法。
【請求項１２】
情報を分類するためのキーワードの設定を受け付ける処理と、
前記分類用キーワードを用いた検索条件によるテキスト検索の結果、ユーザに参照された情報を特定する処理と、
前記分類用キーワードに対応付けられた分類区分に、前記特定した情報を分類する処理と、をコンピュータに実行させるプログラム。
【発明の詳細な説明】
【技術分野】
【０００１】
本発明は、情報処理装置、情報分類方法及びプログラムに関し、特に、情報の分類を行う情報処理装置、情報分類方法及びプログラム及びこの情報処理装置により分類された情報の共有を実現するシステムに関する。
【背景技術】
【０００２】
ユーザにより設定されたメール振り分け（分類）条件に従って、受信した電子メールを特定のフォルダに分類する機能を備えたメーラー（メール管理システム）やＷｅｂメールシステムが広く普及している。このようなメーラーによれば、受信したメールのヘッダのサブジェクト（件名）欄に含まれるキーワードに応じてメールをいくつかのフォルダに振り分けることが可能になる。これにより、必要なフォルダのメールをまとめて閲覧し、返事を書くといったことが可能になる。
【０００３】
特許文献１には、日本語文書テキスト中の文字列の出現頻度をカウントし、出現頻度の高い文字列をキーワードとして採用し、該キーワードによる日本語文書テキストのインデキシングを行ない、更に、テキスト検索や分類を行う構成が開示されている。
【０００４】
特許文献２には、文書検索手段によって見つかった文書のポインタに該当するタスクＩＤを抽出し、該タスクＩＤと関連のある関連タスクＩＤを抽出し、該関連タスクＩＤに関連付けられた情報を表示する文書検索システムが開示されている。この文書検索システムによれば、例えば、「進捗管理」というキーワードにより検索を行った場合に、直接得られる検索結果「進捗管理表」に加え、そのポインタに関連付けられたタスクＩＤ（新製品プロジェクト）を手掛かりに関連タスクＩＤ（「新製品企画」等）を抽出し、関連タスクＩＤ（新製品企画）等に関連付けられた「新製品企画書」等の一覧をユーザに提示することが可能になる。
【０００５】
【特許文献１】特開２００７−２７２６９９号公報
【特許文献２】特開２０００−２５０９２２号公報
【発明の開示】
【発明が解決しようとする課題】
【０００６】
上記メーラーにより分類できるのは、電子メール本文と、その添付ファイルのみであり、電子メールとして送受信されたものに限られてしまう。上記メーラーと同様の基準でその他の文書を分類することも原理上可能であるが、適切な分類結果を得ることは難しい。例えば、文書のタイトルに含まれる文字によって分類することが考えられるが、文書の場合、著者によって適当に付けられているタイトルやアクセスを誘引するために誇大なタイトルが付けられているものも多く、多くの分類ミスが生じるものと考えられる。
【０００７】
そこで、特許文献１のような方法を採ることも考えられるが、膨大な文書の分類を行うには、その解析にかなりのコストが掛かってしまうという問題点がある。
【０００８】
特許文献２の方法は、タスクＩＤと関連タスクＩＤと情報との三者の関連付けの作業が重要であり、これらが適切に関連付けられているか否か、つまり事前に適切に分類がなされていることを前提とした技術である。
【０００９】
本発明は上記した事情に鑑みてなされたものであって、その目的とするところは、多大なコストや煩雑な事前準備の必要とせずに、情報の分類を行なうことのできる情報処理装置、情報分類方法及びプログラム及び該情報処理装置によって分類された情報の共有を実現するシステムを提供することにある。
【課題を解決するための手段】
【００１０】
本発明の第１の視点によれば、予め設定された分類用キーワードを用いた検索条件によるテキスト検索の結果、ユーザに参照された情報を特定する情報収集手段と、前記分類用キーワードに対応付けられた分類区分に、前記特定した情報を分類する分類結果記憶手段と、を備える情報処理装置が提供される。
【００１１】
本発明の第２の視点によれば、情報を分類するための分類用キーワードを設定しておき、前記分類用キーワードを用いた検索条件によるテキスト検索の結果、ユーザに参照された情報を特定し、前記分類用キーワードに対応付けられた分類区分に、前記特定した情報を分類する情報分類方法が提供される。
【００１２】
本発明の第３の視点によれば、情報を分類するためのキーワードの設定を受け付ける処理と、前記分類用キーワードを用いた検索条件によるテキスト検索の結果、ユーザに参照された情報を特定する処理と、前記分類用キーワードに対応付けられた分類区分に、前記特定した情報を分類する処理と、をコンピュータに実行させるプログラムが提供される。
【発明の効果】
【００１３】
本発明によれば、多大なコストや煩雑な事前準備を必要とせずに、膨大な情報を分類することが可能になる。その理由は、テキスト検索時に、予め設定した分類用キーワードが用いられ、かつ、ユーザにより参照された情報を分類するようにしたことにある。
【発明を実施するための最良の形態】
【００１４】
［発明の概要］
始めに、本発明の概要について図１を用いて説明する。図１を参照すると、分類区分毎に、情報検索手段１０と、情報収集手段２０と、参照された情報（参照情報）の分類結果を保持する分類結果記憶手段３０と、を備えた情報分類装置が示されている。
【００１５】
情報検索手段１０は、所定の文書群を対象にテキスト検索を行なう手段である。例えば、各種文書検索システム等の専用のプログラムによって実現することができる。また、全文テキスト検索用の各種検索エンジンを利用可能なブラウザにより簡便に実現することもできる。
【００１６】
情報収集手段２０は、テキスト検索時に予め設定された分類用キーワードが用いられ、かつ、その検索結果に示された候補の中から、ユーザが参照した情報（参照情報）を特定する。次に、情報収集手段２０は、前記分類用キーワードが属する分類区分に従って、前記特定した情報そのもの、あるいは、該情報にアクセスするための情報（情報ＩＤやアドレス等）を分類結果記憶手段３０に記憶する。
【００１７】
分類結果記憶手段３０は、１以上の分類用キーワードを対応付けることが可能な分類区分毎に、前記情報収集手段２０により特定された情報そのもの、あるいは、該情報にアクセスするための情報（情報ＩＤやアドレス等）を記憶する。
【００１８】
例えば、分類区分「全文テキスト検索システム」の分類用キーワードとして「転置インデックス」が設定され、ユーザが特許情報データベースにテキスト検索を行なった場合を考える。この場合、例えば、ユーザが「転置インデックス」というキーワードを含む検索を行い、検索結果の中から、関心のある文献を参照すると、該参照した文献は、分類結果記憶手段３０の分類区分「全文テキスト検索システム」の文献として分類される。
【００１９】
ユーザは、参照した文書の内容に応じて保存先のフォルダを判断し、保存処理を行なうといった作業を行わなくとも、分類結果記憶手段３０の記憶内容を参照することで、分類区分「全文検索システム」に情報を分類することができる。
【００２０】
なお、情報分類装置は、情報検索手段１０を備えるコンピュータを、さらに情報収集手段２０及び分類結果記憶手段３０として機能させるプログラムによっても実現することができる。
【００２１】
［第１の実施形態］
続いて、本発明の好適な実施形態について図面を参照して詳細に説明する。
【００２２】
図２は、本発明の第１の実施形態の情報分類装置の構成を表した図である。図中の矢印はデータの流れを表している。
【００２３】
入力部２２は、キーボードやポインティングデバイス等により構成される。タスク管理部４１、全文検索部１１、メーラー５１に対する、ユーザからの操作内容は入力部２２を介して行なわれる。
【００２４】
出力部２３は、ディスプレイ装置等により構成され、タスク管理部４１、全文検索部１１、メーラー５１からの出力は、出力部２３から出力される。
【００２５】
タスク管理部４１は、ユーザの操作に従って、出力部２３にタスク名及び分類用キーワードの入力フォームを表示し、入力部２２より入力されたタスク名及び分類用キーワードをタスク／分類結果記憶部４２に登録する。
【００２６】
また、タスク管理部４１は、ユーザの操作に従ってタスク／分類結果記憶部４２にアクセスし、タスク名一覧や、入力部２２を介して指定されたタスクに関連付けられた情報一覧を生成して、出力部２３に表示する。
【００２７】
タスク／分類結果記憶部４２は、上述の分類結果記憶手段３０に相当し、１以上の分類用キーワードを設定可能なタスク毎に、関連すると判断された情報（関連メール、関連文書のＵＲＬ（Ｕｎｉｆｏｒｍ  Ｒｅｓｏｕｒｃｅ  Ｌｏｃａｔｏｒ）を記憶する。
【００２８】
全文検索部１１は、入力部２２から入力された検索キーワードにより全文テキスト検索を実行し、出力部２３にヒットした文書一覧を表示する。全文検索部１１は、表示した文書一覧から任意の文書の参照要求を受けつけると、該要求を受けた文書を出力部２３に出力するとともに、検索ログ１２にその文書のＵＲＬと、検索に使われた検索キーワードを出力する。
【００２９】
検索ログ１２は、検索に使われた検索キーワードと、検索結果から参照された文書のＵＲＬと、を含む検索履歴（検索ログ）を保持するファイルである。
【００３０】
文書情報収集部２１は、上述の情報収集手段２０に相当し、検索ログ１２から検索キーワードとその検索キーワードを用いて得られた検索結果の中から実際に参照された文書ファイルのＵＲＬを取得する。さらに、文書情報収集部２１は、タスク／分類結果記憶部４２に保持された各タスクの情報分類用キーワードと、前記取得した検索キーワードとを比較し、一致したら、そのタスクの関連情報として、タスク／分類結果記憶部４２に、前記文書ファイルのＵＲＬを登録する。
【００３１】
メーラー５１は、ユーザが受信したメール、送信したメールを保持し、それぞれのメールに、メールＩＤにより、一意にアクセスすることができる。また、メールの送受信時に、メールＩＤとサブジェクトをメールログ５２に出力する。なお、本実施形態では、一般的なメーラーと同様に、メールＩＤにより保持しているメールを１つ１つ開けるようになっているものとする。メールを１つ１つファイルにして管理する構成を用いる場合は、メールＩＤは個々のファイルのパス名とすることができる。
【００３２】
メールログ５２は、メーラーが出力したログを保持するファイルである。
【００３３】
メール情報収集部５３は、メールログ５２からメールＩＤとそのメールのサブジェクトを取得する。メール情報収集部５３は、タスク／分類結果記憶部４２に保持された各タスクの情報分類用キーワードと、前記取得したメールのサブジェクトとを比較し、サブジェクトにいずれかのタスクの情報分類用キーワードが含まれている場合、そのタスクの関連情報として、タスク／分類結果記憶部４２に前記メールのメールＩＤを登録する。
【００３４】
ここで、本実施形態におけるタスク／分類結果記憶部４２の構成について説明する。図３は、タスク／分類結果記憶部４２に用意されるエンティティテーブルである。タスク／分類結果記憶部４２に保持される情報（タスク、メール、文書）は、ユニークなエンティティＩＤを割り当てられ、エンティティテーブルで一元管理される。タスクには、タスク名と、付属情報としてキーワードを設定することが可能になっている。メールには、メールのサブジェクトと、付属情報としてメールＩＤが付加される。文書には、文書名と、付属情報として文書のＵＲＬが付加される。
【００３５】
図４は、タスク／分類結果記憶部４２に用意されるリンクテーブルである。リンクテーブルには、関係のあるエンティティのエンティティＩＤのペアが保持され、タスクと文書の関係、タスクとメールの関係が保持される。図４の例では、エンティティＩＤ＝１である図３のタスクの関連メールとして、エンティティＩＤ＝２である図３のメールが関係付けられ、また、このタスクの関連文書として、エンティティＩＤ＝３である図３の文書が関係付けられている。
【００３６】
続いて、本実施形態の動作（情報分類装置を構成するコンピュータに実行させる処理）について図面を参照して詳細に説明する。全文検索部１１、メーラー５１は、広く利用されている技術であり、これらの機能の実現性は明らかなので、以下、タスク管理部４１、文書情報収集部２１、メール情報収集部５３の動作（処理）を中心に説明する。
【００３７】
図５は、タスク／分類結果記憶部４２に新規タスクを登録する際のタスク管理部４１の動作を表したフローチャートである。
【００３８】
入力部２２から、タスク名とそのタスクの分類用キーワードが入力されると（ステップＳ００１）、タスク管理部４１は、エンティティテーブルを参照し、種別＝“タスク”、名前＝“＜指定されたタスク名＞”であるレコードが登録済みであるか否かを確認する（ステップＳ００２）。ここで、同一レコードが登録済みであれば、タスク管理部４１は、当該レコードの付属情報に、前記入力された分類用キーワードを追加する（ステップＳ００３）。
【００３９】
一方、同一レコードが登録されていない場合には、タスク管理部４１は、エンティティＩＤを割り当て、種別＝“タスク”、名前＝“＜指定されたタスク名＞”、付属情報＝“＜指定された分類用キーワード＞”とした新規レコードを追加する（ステップＳ００４）。
【００４０】
図６は、タスク／分類結果記憶部４２に登録されているタスク一覧の表示要求を受けた際のタスク管理部４１の動作を表したフローチャートである。
【００４１】
入力部２２から、タスク一覧の表示要求を受け付けると（ステップＳ０１１）、タスク管理部４１は、エンティティテーブルを参照し、種別＝“タスク”であるレコードの有無を確認する（ステップＳ０１２）。
【００４２】
ここで、種別＝“タスク”であるレコードが登録済みであれば、タスク管理部４１は、これらレコードのタスク名を列記したリストを作成し、出力部２３に表示する（ステップＳ０１３）。
【００４３】
一方、種別＝“タスク”であるレコードが登録されていない場合には、タスク管理部４１は、タスクが存在しない旨のエラーメッセージを表示する（ステップＳ０１４）。
【００４４】
図７は、上記のようにして登録されたタスクを用いて、関連付けるべき文書を取得する文書情報収集部２１の動作を表したフローチャートである。
【００４５】
文書情報収集部２１は、一定時間の経過や検索ログのサイズが所定値を超えた場合等の予め設定されたタイミングで動作する。まず、文書情報収集部２１は、検索ログ１２を読み出し（ステップＳ２０１）、分類用キーワードとの比較を行なっていない未処理のデータがあるか否かを確認する（ステップＳ２０２）。
【００４６】
前記確認の結果、検索ログ１２に、未処理のデータがなければ、文書情報収集部２１は、何もせずに終了する（ステップ２０２のＮＯ）。
【００４７】
検索ログ１２に、未処理のデータがある場合は、文書情報収集部２１は、検索結果を得るために使われた検索キーワードと、参照された文書名及び参照文書ＵＲＬ等の組を取得する（ステップＳ２０３）。
【００４８】
次に、文書情報収集部２１は、エンティティテーブルから、種別＝“タスク”、付属情報＝“＜ログから取得した検索キーワード＞”であるレコードを検索する（ステップＳ２０４）。なお、検索結果を得るために使われた検索キーワードが複数ある場合には、各検索キーワードが付属情報に設定されているレコードの検索を行なうことになる。
【００４９】
前記検索の結果、該当するレコードがなければ、文書情報収集部２１は、次の検索ログ１２の未処理のデータによるレコードの検索を繰り返す（ステップＳ２０１へ）。
【００５０】
検索ログ１２に、該当するレコードがある場合は、文書情報収集部２１は、エンティティテーブルを参照し、種別＝“文書”、付属情報＝“＜ログから取得した参照文書ＵＲＬ＞”であるエンティティが登録済みであるか否かを確認する（ステップＳ２０５）。
【００５１】
前記確認の結果、エンティティテーブルに該当する文書が登録済みであった場合、文書情報収集部２１は、リンクテーブルから、エンティティＩＤ１＝“＜タスクのエンティティＩＤ＞”、エンティティＩＤ２＝“＜文書のエンティティＩＤ＞”を検索し、該当タスクと参照文書が関連付け済みであるか否かを確認する（ステップＳ２０６）。
【００５２】
ここで、リンクテーブルに該当するレコードが無ければ、文書情報収集部２１は、リンクテーブルに、該当タスクと参照文書とを関連付けるレコードを新規に登録する（ステップＳ２０７）。なお、リンクテーブルに該当するレコードがすでにある場合には、該当タスクと参照文書とは関連付け済みであるため、重複登録を避けるため、リンクテーブルへのレコードの追加は省略される。
【００５３】
一方、ステップＳ２０５で、エンティティテーブルに該当する文書が登録されていなかった場合、文書情報収集部２１は、エンティティＩＤを発行し、エンティティテーブルに参照文書を登録する（ステップＳ２０８）。エンティティテーブルに未登録であった文書は、当然にリンクテーブルにも登録されていないため、文書情報収集部２１は、リンクテーブルに、該当タスクと参照文書とを関連付けるレコードを新規に登録する（ステップＳ２０９）。
【００５４】
文書情報収集部２１は、以上の処理を、検索ログ１２に未処理のデータが無くなるまで繰り返し実行する。
【００５５】
図８は、上記のようにして登録されたタスクを用いて、関連付けるべきメールを取得するメール情報収集部５３の動作を表したフローチャートである。
【００５６】
メール情報収集部５３は、一定時間の経過やメールログのサイズが所定値を超えた場合等の予め設定されたタイミングで動作する。まず、メール情報収集部５３は、メールログ５２を読み出し（ステップＳ２１１）、分類用キーワードとの比較を行なっていない未処理のデータがあるか否かを確認する（ステップＳ２１２）。
【００５７】
前記確認の結果、メールログ５２に、未処理のデータがなければ、メール情報収集部５３は、何もせずに終了する（ステップ２１２のＮＯ）。
【００５８】
メールログ５２に、未処理のデータがある場合は、メール情報収集部５３は、未処理のデータに含まれるメールＩＤと、メールヘッダの組を取得する（ステップＳ２１３）。
【００５９】
次に、メール情報収集部５３は、エンティティテーブルから、種別＝“タスク”であるレコードを一つ読み出す（ステップＳ２１４）。
【００６０】
次に、メール情報収集部５３は、前記読み出したタスクの付属情報として登録されている分類用キーワードが、メールのサブジェクトに含まれるか否かを確認する（ステップ２１５）。なお、前記タスクの付属情報として複数の分類用キーワードが登録されている場合には、各分類用キーワードとメールサブジェクトとの照合を行なうものとする。
【００６１】
前記検索の結果、分類用キーワードがメールサブジェクトに含まれていない場合には、メール情報収集部５３は、ステップＳ２１１に戻って、次のタスクの付属情報として設定された分類用キーワードと、メールサブジェクトとの照合を繰り返す。
【００６２】
一方、分類用キーワードがメールサブジェクトに含まれている場合には、メール情報収集部５３は、エンティティＩＤを発行し、エンティティテーブルに前記メールを登録する（ステップＳ２１６）。さらに、メール情報収集部５３は、リンクテーブルに、該当タスクとメールとを関連付けるレコードを新規に登録する（ステップＳ２１７）。
【００６３】
メール情報収集部５３は、以上の処理を、メールログ５２に未処理のデータが無くなるまで繰り返し実行する。
【００６４】
図９は、上記のようにしてタスクと関連付けられた情報の一覧を作成する際のタスク管理部４１の動作を表したフローチャートである。
【００６５】
まず、タスク管理部４１は、入力部２２から、関連情報の一覧を表示するタスクの指定を受け付ける（ステップＳ１０１）。
【００６６】
次に、タスク管理部４１は、エンティティテーブルを参照して、種別＝“タスク”、名前＝“＜指定されたタスク名＞”であるレコードが登録済みであるか否かを確認する（ステップＳ１０２）。
【００６７】
ここで、指定されたタスクが登録されていなければ、タスク管理部４１は、タスクが存在しない旨のエラーメッセージを出力部２３に表示して終了する（ステップＳ１０８）。
【００６８】
指定されたタスクが登録されている場合、タスク管理部４１は、リンクテーブルから、エンティティＩＤ１＝“＜タスクのエンティティＩＤ＞”であるレコードを抽出する（ステップＳ１０３）。
【００６９】
ここで、指定されたタスクに関連する情報が登録されていなければ（ステップＳ１０４のＮＯ）、タスク管理部４１は、関連する情報が登録されていない旨のエラーメッセージを出力部２３に表示して終了する（ステップＳ１０８）。
【００７０】
指定されたタスクに関連する情報が登録されている場合（ステップＳ１０４のＹＥＳ）、タスク管理部４１は、エンティティテーブルから、前記リンクテーブルに登録されたエンティティＩＤ２の値を持つレコードを抽出する（ステップＳ１０５）。
【００７１】
ここで、前記エンティティＩＤ２の値を持つレコードが登録されていなければ（ステップＳ１０６のＮＯ）、タスク管理部４１は、タスク／分類結果記憶部４２の状態が不正であるというエラーメッセージを出力部２３に表示して終了する（ステップＳ１０８）。
【００７２】
前記エンティティＩＤ２の値を持つレコードが登録されている場合（ステップＳ１０６のＹＥＳ）、タスク管理部４１は、これらレコードの文書名やサブジェクトを列記したリストを作成し、出力部２３に表示する（ステップＳ１０７）。
【００７３】
以上のとおり、本実施形態によれば、全文検索により参照された文書と、送受信したメールを同一の分類用キーワードを用いて、分類し、一元管理することが可能になる。
【００７４】
以上、本発明の好適な実施形態を説明したが、本発明は、上記した実施形態に限定されるものではなく、本発明の基本的技術的思想を逸脱しない範囲で、更なる変形・置換・調整を加えることができる。例えば、上記した実施形態では、メールサブジェクトに分類用キーワードが含まれているメールを関連付けるものとして説明したが、宛先や発信人等のその他メールヘッダを参照し、分類するか否かを決定してもよい。さらには、メールの送受信日等を組み合わせて、一の分類区分を、より細かく分類することとしてもよい。
【００７５】
また例えば、上記した実施形態では、全文検索により参照された文書と、メールとを同一の分類用キーワードを用いて分類するものとして説明したが、メール以外の情報を同様に分類することもできる。例えば、図１０に示すように、本発明が適用される情報処理装置にスケジュール管理機能（スケジューラ６１）が備えられている場合には、スケジュール登録のログ（スケジュール登録ログ６２）を利用し、分類用キーワードによってスケジュール登録された内容を分類するスケジュール情報収集部６３を備える構成とすることができる。さらに、メールや参照文書のみならず、タスクに関連付けられたスケジュールを起動できるようにするなども可能である。同様の原理で、入力された画像データや音楽データや動画データについても、そのファイルネームやメタデータ等を用いて、分類用キーワードによって分類することも可能である。
【００７６】
また例えば、図１１に示すように、アクセス権限確認部４３を備えて、上記図９を用いて説明したタスク一覧の表示を受け付ける際に、ユーザ又はグループ毎にアクセス可能なタスク（分類区分）を設定できるようにすれば、複数の構成員間で効率良く情報を共有できるグループウェア（情報共有装置）とすることができる。
【図面の簡単な説明】
【００７７】
【図１】本発明の概要を説明するための図である。
【図２】本発明の第１の実施形態の情報分類装置の構成を表した図である。
【図３】タスク／分類結果記憶部の構成例を説明するための図である。
【図４】タスク／分類結果記憶部の構成例を説明するための図である。
【図５】本発明の第１の実施形態の情報分類装置のタスク管理部の動作を表したフローチャートである。
【図６】本発明の第１の実施形態の情報分類装置のタスク管理部の動作を表したフローチャートである。
【図７】本発明の第１の実施形態の情報分類装置の文書情報取得部の動作を表したフローチャートである。
【図８】本発明の第１の実施形態の情報分類装置のメール情報取得部の動作を表したフローチャートである。
【図９】本発明の第１の実施形態の情報分類装置のタスク管理部の動作を表したフローチャートである。
【図１０】本発明の第２の実施形態の情報分類装置の構成を表した図である。
【図１１】本発明の第３の実施形態の情報分類装置の構成を表した図である。
【符号の説明】
【００７８】
１０  情報検索手段
１１  全文検索部
１２  検索ログ
２０  情報収集手段
２１  文書情報収集部
２２  入力部
２３  出力部
３０  分類結果記憶手段
４１  タスク管理部
４２  タスク／分類結果記憶部
４３  アクセス権限確認部
５１  メーラー
５２  メールログ
５３  メール情報収集部
６１  スケジューラ
６２  スケジュール登録ログ
６３  スケジュール情報収集部
【図１】
2010061213.tif 000003
【図２】
2010061213.tif 000004
【図３】
2010061213.tif 000005
【図４】
2010061213.tif 000006
【図５】
2010061213.tif 000007
【図６】
2010061213.tif 000008
【図７】
2010061213.tif 000009
【図８】
2010061213.tif 000010
【図９】
2010061213.tif 000011
【図１０】
2010061213.tif 000012
【図１１】
2010061213.tif 000013